(57)【要約】【課題】卓上式電子計算機の表示部を、所望の場合には、その操作者以外の者が視認できないようにする機能を、選択的に、かつ、卓上式電子計算機の使い勝手や意匠性を損なうことなく、卓上式電子計算機に備えさせる。【解決手段】略長方形の板状をなすと共に、その長さ方向に亘る一辺部４ｆを回動中心として、卓上式電子計算機の前面部１に対し、この卓上式電子計算機の表示部２を覆う第一位置とこの表示部２の側方に位置される第二位置との間に亘る回動可能に組み合わされて、前記第一位置においてこの卓上式電子計算機の操作者以外の者の前記表示部２の視認を阻止するように機能する偏向カバー体４を備えてなる。【選択図】図２
2012053827.tif 000002
【特許請求の範囲】
【請求項１】
略長方形の板状をなすと共に、その長さ方向に亘る一辺部を回動中心として、卓上式電子計算機の前面部に対し、この卓上式電子計算機の表示部を覆う第一位置とこの表示部の側方に位置される第二位置との間に亘る回動可能に組み合わされて、前記第一位置においてこの卓上式電子計算機の操作者以外の者の前記表示部の視認を阻止するように機能する偏向カバー体を備えてなることを特徴とする卓上式電子計算機。
【請求項２】
卓上式電子計算機の前面部に、偏向カバー体の長さと略等しい長さを持つと共に、偏向カバー体の幅の約二倍の幅を備えた偏向カバー体の収容凹所が形成されており、
この収容凹所の幅方向略中程の位置において偏向カバー体が回動可能に組み合わされ、
この収容凹所の幅方向略中程の位置を挟んだ一方側に表示部が備えられていることを特徴とする請求項１に記載の卓上式電子計算機。
【請求項３】
偏向カバー体の長さ方向に亘る他辺部に、この他辺部から突き出す摘み部が形成されていると共に、
卓上式電子計算機の前面部に、収容凹所に連通して偏向カバー体の第一位置において前記摘み部を余裕を持って納める大きさの第一の窪みと、収容凹所に連通して偏向カバー体の第二位置において前記摘み部を余裕を持って納める大きさの第二の窪みとが備えられていることを特徴とする請求項２に記載の卓上式電子計算機。
【請求項４】
第一位置において、偏向カバー体に形成させた被係合部に対し係脱可能に係合し合う係合部が収容凹所に形成されていることを特徴とする請求項２又は請求項３に記載の卓上式電子計算機。
【発明の詳細な説明】
【技術分野】
【０００１】
この発明は、卓上式電子計算機の改良に関する。
【背景技術】
【０００２】
卓上式電子計算機は、その前面部に、複数のキーからなる入力部と、入力した計算式やその計算結果などを表示する表示部とを備えている。一般に液晶ディスプレイなどにより構成される表示部は、入力部の操作者のみならず卓上式電子計算機の周囲にいるそれ以外の者も視認可能である。しかるに、この表示部への表示内容が、このような操作者以外の者に視認されることが、好ましくない場合も少なからずある。
【発明の概要】
【発明が解決しようとする課題】
【０００３】
この発明が解決しようとする主たる問題点は、卓上式電子計算機の表示部を、所望の場合には、その操作者以外の者が視認できないようにする機能を、選択的に、かつ、卓上式電子計算機の使い勝手や意匠性を損なうことなく、卓上式電子計算機に備えさせる点にある。
【課題を解決するための手段】
【０００４】
前記課題を達成するために、この発明にあっては、卓上式電子計算機を、略長方形の板状をなすと共に、その長さ方向に亘る一辺部を回動中心として、卓上式電子計算機の前面部に対し、この卓上式電子計算機の表示部を覆う第一位置とこの表示部の側方に位置される第二位置との間に亘る回動可能に組み合わされて、前記第一位置においてこの卓上式電子計算機の操作者以外の者の前記表示部の視認を阻止するように機能する偏向カバー体を備えてなるものとした。
【０００５】
かかる構成によれば、偏向カバー体を第一位置に位置づけさせることにより、入力した計算式やその計算結果などを表示する表示部を、卓上式電子計算機の操作者以外の者が視認できないようにすることができると共に、第一位置にある偏向カバー体を回動操作して第二位置に位置づけることにより、このような視認の阻止が必要とされない場合にはかかる表示部をどの向きからも見やすい状態に置くことができる。
【０００６】
前記卓上式電子計算機の前面部に、偏向カバー体の長さと略等しい長さを持つと共に、偏向カバー体の幅の約二倍の幅を備えた偏向カバー体の収容凹所を形成させておき、この収容凹所の幅方向略中程の位置において偏向カバー体を回動可能に組み合わせるようにすると共に、この収容凹所の幅方向略中程の位置を挟んだ一方側に表示部を備えさせるようにしておくこともある。このようにした場合、前記第一位置及び第二位置において、偏向カバー体が前記前面部から突き出さないようにすることができる。
【０００７】
前記偏向カバー体の長さ方向に亘る他辺部に、この他辺部から突き出す摘み部を形成させておくと共に、卓上式電子計算機の前面部に、収容凹所に連通して偏向カバー体の第一位置において前記摘み部を余裕を持って納める大きさの第一の窪みと、収容凹所に連通して偏向カバー体の第二位置において前記摘み部を余裕を持って納める大きさの第二の窪みとを備えさせておくこともある。このようにしておけば、偏向カバー体が前記第一位置にある状態において第一の窪み内にある摘み部を摘んでこの偏向カバー体を第二位置に向けて回動操作し易く、また、偏向カバー体が前記第二位置にある状態において第二の窪み内にある摘み部を摘んでこの偏向カバー体を第一位置に向けて回動操作し易くすることができる。
【０００８】
また、前記第一位置において、偏向カバー体に形成させた被係合部に対し係脱可能に係合し合う係合部を収容凹所に形成させておくこともある。このようにした場合、偏向カバー体が第一位置にある状態を解除可能に安定的に維持することができる。
【発明の効果】
【０００９】
この発明によれば、卓上式電子計算機の前面部に回動可能に組み合わされた偏向カバー体によって、卓上式電子計算機の表示部を、所望の場合に、その操作者以外の者が視認できないようにする機能を、卓上式電子計算機の使い勝手や意匠性を損なうことなく、卓上式電子計算機に備えさせることができる。
【図面の簡単な説明】
【００１０】
【図１】図１は卓上式電子計算機の要部の分離斜視図である。
【図２】図２は卓上式電子計算機の要部正面図であり、偏向カバー体は第一位置にある。
【図３】図３は図２におけるＡ−Ａ線断面図である。
【図４】図４は図２におけるＢ−Ｂ線断面図である。
【図５】図５は卓上式電子計算機の要部正面図であり、偏向カバー体は第二位置にある。
【図６】図６は図５におけるＣ−Ｃ線断面図である。
【図７】図７は図５におけるＤ−Ｄ線断面図である。
【発明を実施するための形態】
【００１１】
以下、図１〜図７に基づいて、この発明の典型的な実施の形態について、説明する。この実施の形態にかかる卓上式電子計算機は、入力した計算式やその計算結果などを表示する表示部２を、卓上式電子計算機の操作者以外の者が視認できないようにする機能（以下、この機能が発揮されている状態をセキュリティ状態と称する。）を備えると共に、この視認の阻止が必要とされない場合にはかかる表示部２をどの向きからも見やすい状態に置くことができるものであり、（以下、この状態を通常状態と称する。）このセキュリティ状態と通常状態を卓上式電子計算機の使い勝手や意匠性を損なうことなく、容易に切り替え可能としたものである。
【００１２】
かかるセキュリティ状態においては、典型的には、表示部２に直角に交わる仮想の線分からこの表示部２に４５度の角度を作る仮想の線分までの範囲においてこの表示部２を上方から見た場合にはこの表示部２に表示された計算結果などが視認でき、この範囲外ではこれらを視認できないようにする。
【００１３】
図示の例では、卓上式電子計算機は、略長方形の板状を呈している。その前面部１には、図中符号３ａで示す複数のキーからなる入力部３と、前記表示部２とが形成されている。入力部３は、前記前面部１の下端から略３分の２の範囲に形成されており、かかる前面部１の上側の残りの範囲に前記表示部２が設けられている。
【００１４】
かかる卓上式電子計算機は、略長方形の板状をなす偏向カバー体４を備えている。図示の例では、かかる偏向カバー体４は、透明の合成樹脂から構成される略長方形の板状主体４ａの表面４ｂに、偏向フィルム４ｅを貼ってこの表面４ｂの縁部以外の大部分を偏向フィルム４ｅで覆うことで構成されている。図示の例では、板状主体４ａの表面４ｂには、偏向フィルム４ｅの外郭形状に倣うと共に、その厚さ寸法分の深さを備えた凹み４ｃが形成されており、この凹み４ｃ内において板状主体４ａに偏向フィルム４ｅを貼って偏向カバー体４を構成させている。
【００１５】
かかる偏向カバー体４は、その長さ方向に亘る一辺部４ｆを回動中心として、卓上式電子計算機の前面部１に対し、この卓上式電子計算機の表示部２を覆う第一位置とこの表示部２の側方に位置される第二位置との間に亘る回動可能に組み合わされている。そして、かかる偏向カバー体４は、前記第一位置においてこの卓上式電子計算機の操作者以外の者の前記表示部２の視認を阻止するように機能するものとなっている。
【００１６】
これによりこの実施の形態にあっては、偏向カバー体４を第一位置に位置づけさせることにより前記セキュリティ状態を作り出すことができると共に、第一位置にある偏向カバー体４を回動操作して第二位置に位置づけることにより前記通常状態に容易に移行させることができる。
【００１７】
この実施の形態にあっては、卓上式電子計算機の前面部１に、偏向カバー体４の長さと略等しい長さを持つと共に、偏向カバー体４の幅の約二倍の幅を備えた偏向カバーの収容凹所５が形成されている。収容凹所５の長さ方向は前記前面部１の幅方向に沿うようになっている。そして、この収容凹所５の幅方向略中程の位置５ａにおいて偏向カバー体４が回動可能に組み合わされている。また、この収容凹所５の前記幅方向略中程の位置５ａの一方、図示の例では、この幅方向略中程の位置５ａを挟んだ前記入力部３側に卓上式電子計算機の幅方向に長さ側を沿わせるようにした長方形状の外郭形状を備えた表示部２が備えられている。これにより、この実施の形態にあっては、前記第一位置及び第二位置において、偏向カバー体４が前記前面部１から突き出さないようにすることができる。
【００１８】
偏向カバー体４の前記一辺部４ｆには、前記板状主体４ａの裏面４ｄから突き出すリブ状部４ｇが形成されていると共に、このリブ状部４ｇにおける偏向カバー体４の幅側に位置される端部にはそれぞれ、軸突起４ｈが形成されている。前記収容凹所５における前記幅方向略中程の位置５ａにはその内壁５ｂにかかる軸突起４ｈに対する軸孔５ｃが形成されている。図示の例では、偏向カバー体４の前記軸突起４ｈを収容凹所５側の対応する軸孔５ｃに納めさせて、卓上式電子計算機の前面部１に偏向カバー体４をこの卓上式電子計算機の幅方向に回動中心軸を沿わせるようにして回動可能に組み合わせている。偏向カバー体４は、その板状主体４ａの裏面４ｄを表示部２に向き合わせる第一位置（図２の位置）と、この板状主体４ａの表面４ｂを収容凹所５における表示部２の形成されていない箇所の底面５ｄに向き合わせた第二位置（図５の位置）との間に亘る、約１８０度の範囲での回動可能に前記前面部１に組み合わされている。
【００１９】
図示の例では、収容凹所５における表示部２の形成側の底面５ｄは、これが形成されていない底面５ｄよりも上方に位置されており、両者の間には段差５ｅが形成されると共に、収容凹所５のこの表示部２の形成側は偏向カバー体４の板状主体４ａの厚さ相当分の深さを持つようになっている。収容凹所５における表示部２の形成されていない箇所の深さは偏向カバー体４の板状主体４ａの厚さに前記リブ状部４ｇの突きだし寸法を加えた寸法相当分の深さを持つようになっている。前記軸突起４ｈ及び軸孔５ｃからなる偏向カバー体４の回動組み合わせ位置は、前記段差５ｅよりも表示部２の形成されていない側に位置されており、第一位置においては、収納凹所５の底面５ｄに偏向カバー体４の板状主体４ａの裏面４ｄが密着するようになっている。偏向カバー体４の板状主体４ａに貼られた偏向フィルム４ｅは、この第一位置において、表示部２の全体を上方から覆う大きさを持つように構成されている。
【００２０】
また、この実施の形態にあっては、かかる偏向カバー体４の長さ方向に亘る他辺部４ｉに、この他辺部４ｉから突き出す摘み部４ｊが形成されている。図示の例では、かかる他辺部４ｉの長さ方向略中程の位置に側方に突き出す突起状をなす摘み部４ｊが形成されている。それと共に、卓上式電子計算機の前面部１に、収容凹所５に連通して偏向カバー体４の第一位置において前記摘み部４ｊを余裕を持って納める大きさの第一の窪み６と、収容凹所５に連通して偏向カバー体４の第二位置において前記摘み部４ｊを余裕を持って納める大きさの第二の窪み７とが備えられている。図示の例では、かかる第一の窪み６及び第二の窪み７はいずれも、仮想の円をこれに対する仮想の接線に平行な仮想の線分をもって切断してなるこの円の一部に倣った入り口縁形状を備えており、かかる切断側において収容凹所５に連通している。かかる第一の窪み６及び第二の窪み７はいずれも、収容凹所５との連通側から離れるに連れて浅くなるように形成されている。これにより、この実施の形態にあっては、偏向カバー体４が前記第一位置にある状態において第一の窪み６内にある摘み部４ｊを摘んでこの偏向カバー体４を第二位置に向けて回動操作し易く、また、偏向カバー体４が前記第二位置にある状態において第二の窪み７内にある摘み部４ｊを摘んでこの偏向カバー体４を第一位置に向けて回動操作し易くなっている。
【００２１】
また、この実施の形態にあっては、前記第一位置において、偏向カバー体４に形成させた被係合部４ｋに対し係脱可能に係合し合う係合部５ｆが収容凹所５に形成されている。これにより、この実施の形態にあっては、偏向カバー体４が第一位置にある状態を解除可能に安定的に維持できるようになっている。
【００２２】
図示の例では、収容凹所５の左右の内壁５ｂにおける収容凹所５の下側の内壁５ｂとの隅部に近接した箇所にそれぞれ収容凹所５の入り口縁との間にわずかな間隔を開けて小孔５ｇが形成されている一方で、偏向カバー体４の板状主体４ａの左右の辺部における前記他辺部４ｉとの隅部に近接した箇所にそれぞれ前記小孔５ｇに入り込み可能な大きさの突起４ｍが形成されている。かかる左右の突起４ｍ、４ｍ間の距離は収容凹所５の左右の内壁５ｂ間の距離よりもやや大きくなるようにしてある。そして、第二位置にある偏向カバー体４を第一位置に向けて回動させる過程で、主として収容凹所５の入り口縁と小孔５ｇとの間に位置される箇所の弾性変形によりこの小孔５ｇに前記突起４ｍが入り込む位置までの偏向カバー体４の回動が許容され、この位置つまり第一位置まで偏向カバー体４が回動されると前記箇所の弾性復帰により小孔５ｇに突起４ｍが入り込み係合されるようになっている。一方、第一位置にある偏向カバー体４に対し前記摘み部４ｊを利用して第二位置に向けて回動させる操作力を作用させると、前記箇所が再び弾性変形されて前記小孔５ｇから突起４ｍが抜け出して前記係合が解かれるようになっている。すなわち、この実施の形態にあっては、かかる小孔５ｇが前記係合部５ｆとして機能し、かかる突起４ｍが前記被係合部４ｋとして機能するようになっている。
【００２３】
また、この実施の形態にあっては、収容凹所５の左右の内壁５ｂにおける収容凹所５の上側の内壁５ｂとの隅部に近接した箇所にそれぞれ収容凹所５の入り口縁において外方に開放されて底面５ｄ側に続く溝５ｈが形成されている。左右のこの溝５ｈの溝底間の距離は偏向カバー体４の左右の突起４ｍ、４ｍ間の距離と略等しくなっていると共に、前記第二位置において偏向カバー体４の左右の突起４ｍ、４ｍがそれぞれ対応する溝５ｈに入り込むようになっている。これにより、この実施の形態にあっては、かかる溝５ｈの溝底と突起４ｍとの接触によって、偏向カバー体４が第二位置にある状態も維持できるようになっている。
【符号の説明】
【００２４】
１  前面部
２  表示部
４  偏向カバー体
４ｆ  一辺部
【図１】
2012053827.tif 000003
【図２】
2012053827.tif 000004
【図３】
2012053827.tif 000005
【図４】
2012053827.tif 000006
【図５】
2012053827.tif 000007
【図６】
2012053827.tif 000008
【図７】
2012053827.tif 000009